(57)【要約】      （修正有）【課題】極めて安価で、メンテナンスも容易な野鳥呼び寄せ水盤セットを提供する。【解決手段】野鳥を呼び寄せる目的の水盤１と、水盤に常に一定の清水を補う補給スタンド２とをチューブ４でつないで組み合わせた、野鳥呼び寄せ水盤セットであって、補給水スタンドは、送水管接続口を備えた受け口に、１〜２リトル入りの任意のボトルを逆立させ保持する。野鳥たちが安心できると思える場所を選び、水平の台の上に水盤を設置する。水盤には常時適量の清澄水を補給できる。【選択図】図−１
0003220168.tif 000002
【実用新案登録請求の範囲】
【請求項１】
本考案は、野鳥を呼び寄せる目的の水盤と，当水盤に常に一定量の清水を自動的に補う方式とのセットで、テラスや庭の一画に水平に置かれた上記水盤にチューブを繋ぎ、同チューブを任意の遠隔地点まで伸ばし、そこに設置した「補給水スタンド」の送水口に接続して機能するものです。
【請求項２】
上記に表す「補給水スタンド」であり、日常的に入手できる１〜２リットル入りの任意のボトルに水を入れ、逆さに立てたものを手軽に保持でき、上記チューブの他端を受け入れる接続口を備えたものです。
【請求項３】
上記の水盤と補給水スタンドの位置関係がごく近くにしかセットできない場合、補給水のボトルに空気が入る時の泡立ち音が小鳥を驚かせます。その音を鎮める方策を考案したもので、音は大幅に減音されます。
【考案の詳細な説明】
【技術分野】
【０００１】  本考案は、水を満たした水盤と、その水盤に水を送る手段とを、庭やテラスにセットして野鳥を呼び寄せようとするものです
【背景の技術】
【０００２】  上記と同じ考えで餌台を置く方法もあります。されど自然界のバランスを損なうとの声もあり、その餌に来る鳥は同一食性の２〜３種と限られ、しかも互いに激しく争います。
水はあらゆる生物に必要不可欠で、しかもどこにでも有るもの、静謐と清澄な水に寄る身近な小鳥は１０種に余り、異種と共に仲良く水浴びもしてくれます。
【先行技術文献】
【０００３】
【特許文献】
【特許文献】特開２０１０−１７８６８０
【考案の概要】
【考案が解決しようとする課題】
【０００４】  本案件設置にふさわしい場所は、例えば居室の窓外２〜３メートル，半日蔭となる樹下などで、終日そこに置く溜り水はコケや落ち葉などで思いの他汚れます。水道の常時滴下も可能ですが、給排水の工事費も掛かり、便利過ぎてつい放置するとメンテナンス不足にもなりかねません。
【課題を解決するための手段】
【０００５】  本案件の給水は請求項２の補給水スタンドに、身近に入手できるポットに水を入れ逆さに立てるだけの物で極めて安価で、しかも、１〜２日に１度の水遣りの時こそ、水盤のメンテナンスに最適の時となります。消費水は洗浄を兼ねてもごく少量で賄えます。
【考案の効果】
【０００６】  本考案の出願に至るまで１０年余、趣味を兼ねての実証の結果、撮りためた写真など記録によると実に１２種の野鳥が訪れています。時には２〜３種がしかも互いに複数で仲良く水盤につかり、楽しんで帰る。環境さえ整えてやれば、毎日１〜２種が必ず顔を見せてくれます。田舎とはいえ準市街地、東京郊外と大差ないところでの実施例です。
【図面の簡単な説明】
【０００７】
【図−１】本考案の野鳥呼び寄せ水盤セットの側面略図となります。何らかの水平な台上に置かれた水盤からチューブを伸ばし、適切な位置に設置した補給水スタンドにつないで機能するものです。
【図−２】本考案の補給水スタンドの概略を表します。手軽に入手できるボトル類に水を入れて逆さに立て、簡便に捕縛できるものです。
【図−３】上記補給水スタンドに於いて水が送り出される時、減水によるボトル内の負圧を補う空気が流入します。その時発生する泡立ち音が小鳥を驚ろかせるので、その消音もしくは減音のために考案したものです．
【考案を実施するための形態】
【０００８】  図−１は基本的な実施形態を表すもので、例えば居室の窓外２〜３メートルの樹下などに、何らかの水平な台を構え水盤を置きます。水盤壁面にあらかじめ３０φの穴をあけ、用意されたゴム栓付きのチューブを水盤のその穴に差し込み、任意の場所に立てた補給水スタンドの送水口にチューブ他端を接続して使用します。
【０００９】  図−２は入手可能なボトル類の１〜２リットル入りの物に水を満たし、逆さに立て転倒防止の捕縛チエーンを掛けるもので，水替えに支障ない場所に木柱を立て、水盤から伸ばしたチューブの先端を、仮に水盤より高く保持し水盤に水を満たします。
チューブ先端の水面が落ち着く高さが、ボトル受けカップに記された水面線と同一になる様、カップと杭の調整を、内部のアジャスターも利用して揃えることができます。
【００１０】  図−３はボトルから水が送り出される時、内部の負圧を解消するため下部になっているボトル口から空気を吸い込みます。その時の吸引音と内部を上昇した気泡の破裂音が小鳥を驚かせます。その音を消音、もしくは減音を行うために考案したものです。
【実施例】
【００１１】  以下、添付図に従って実施例を説明します。図−１は上記［０００８］に表すとおり、本考案の１セットを単純化したものです。
実施に当たり、まず１の水盤の側壁に３用の孔を開けた物を、好みの場所に用意した水平で安定な台に乗せます。植木台の一画や、庭用のテーブルなども可能です。
次に３のゴム栓を付けた４のチューブを伸ばし、３を１の穴に差し込みます。
図−２の補給水スタンドの位置を決めて木柱を立て、その付近にチューブの先端を水盤よりやや高い位置に仮止めし、水盤に溢れるまで水を入れます。【００１２】  図−２は市販の木柱の上部にかぶせるスリーブを持ったボトル受けカップで、カップ内部に５のスノコ状のボトル受け台を備えています。
カップ底板の下面が木柱天場になるところですが、１０のアジャスターを入れ、深さ調整を容易にしました。
セッティングは上記で水盤を満水にした後、仮止めしたチューブを外し、チューブ先端から水が溢れる高さとボトル受けカップの満水線とが同一と成る様、スリーブを木柱から抜いてアジャスターで修正します。大幅に違いがある場合は木柱を高くするか、切りつめるかした後上記の調整となります。
図中２はチューブコネクターで、チューブの抜き差しは簡単に手で出来ます。
カップに逆さに立てたボトルは６、７でゆったりとチエーンを掛けた状態で、多少の傾むきは問題ありません。ここに使用するボトルは任意に選択できます。【００１３】  図＝３は減水時のボトル内負圧を解消する空気の流入で、吸引音と気泡の破裂音が発生、この音が小鳥たちを驚かせることを解消するために、当該ボトルの口、内径より直径で２ｍｍ  細いパイプを９分道理の長さで挿入すると、消音効果が大であることを発見。これを採用したもので、水はボトル出口内径とパイプ外径の隙間１ｍｍを通り、空気はパイプ内部を上昇して気泡も小さく、破裂音は大幅に減少したものです。
【符号の説明】
【００１４】  １  水盤
２  補給水スタンド
３  補給水受け入れ口
４  補給水用チューブ
５  送水口
６  水盤満水線マーク
図−２
１  ボトル受けカップ
２  送水口
３  ボトル受け
４  木柱用スリーブ
５  ボトルホルダー
６  転倒防止チエーン
７  チエーンフック
８  適合ボトル
９  水盤満水マーク
１０  高さ調整アジャスター
１１  適合木柱
図−３
１  空気通路
２  水
３  水通路
４  消音管
５  気泡
６  破裂気泡
７  水盤満水線
【図−１】
0003220168.tif 000003
【図−２】
0003220168.tif 000004
【図−３】
0003220168.tif 000005
【手続補正書】
【提出日】平成30年11月22日(2018.11.22)
【手続補正１】
【補正対象書類名】実用新案登録請求の範囲
【補正対象項目名】全文
【補正方法】変更
【補正の内容】
【実用新案登録請求の範囲】
【請求項１】
野鳥を呼び寄せる目的の水盤と、当該水盤に常に一定の清水を補う補給スタンドとをチューブでつないで組み合わせた、野鳥呼び寄せ水盤セット。
【請求項２】
請求項１に記載の野鳥呼び寄せ水盤セットに於ける補給水スタンドであって、送水管
0003220168.tif 000006
する補給水スタンド。
【請求項３】
請求項２に記載の補給水スタンドに備えたボトルの内部に備えた減音管であって、前記ボトルの口内径よりも細い外径を有するパイプ形状を有し、前記ボトル内の負圧を補うために流入する気泡の破裂音を消音又は減音する事を特徴とする消音管。